(57)【要約】      （修正有）【課題】電子および通信機器で日本語カナ（ひらがな、カタカナ）の入力を容易にするものであって、９個のボタンで完全なカナの入力を可能にする方法を提供する。【解決手段】電子および通信機器で，１６０個のカナ（ひらがな８０個、カタカナ８０個）入力のため、文字をキーボードに配列する方法とその文字を利用したカナの入力方法に関するもので、文字の配列方法としては、３行３列で位置した９個の入力ボタンの中、中央に位置したボタンに点（●）で表記した機能ボタンを置いて、外側に位置した８個のボタンにカナ文字を配列してタッチおよびドラッグで完全なカナ入力を可能にする。【選択図】図１
2012150807.tif 000002
【特許請求の範囲】
【請求項１】
カナ入力のための文字配列方法において、３行３列で配置された９個の入力ボタンの中、中央に位置したボタンに記号（●）を配置し、外側の８個のボタンにカナ文字を配置したことを特徴とするカナ入力のための文字配列方法。
【請求項２】
中央のボタンに付与した記号（●）は、その形態や模様は変更可能であるが、その機能は、外側に位置した８個のそれぞれのボタンと一緒に使用されて連続したタッチおよびドラッグで連結して使う時、入力される文字が中央の記号ボタンと一緒に使用されなく、単独で使用して入力される文字と違う方式で入力されるようにしたことを特徴とする請求項１記載のカナ入力のための文字配列方法。
【請求項３】
中央の記号ボタンと外側の８個の文字ボタンを利用したカナ入力方法において、
“あ”（“ア”）の入力は、“あ”（“ア”）ボタンを一度タッチし、
“い”（“イ”）の入力は、“あ”（“ア”）ボタンを押した状態で、上方にドラッグし、
“う”（“ウ”）の入力は、“あ”（“ア”）ボタンを押した状態で、右方にドラッグし、
“え”（“エ”）の入力は、“あ”（“ア”）ボタンを押した状態で、下方にドラッグし、
“お”（“オ”）の入力は、“あ”（“ア”）ボタンを押した状態で、左方にドラッグし、
小さい字“ぁ”（“ァ”）の入力は、“●”ボタンをタッチした後、“あ”（“ア”）ボタンをタッチするか、“●”ボタンで“あ”（“ア”）ボタンにドラッグし、
小さい字“ぃ”（“ィ”）の入力は、“●”ボタンをタッチした後、“あ”（“ア”）ボタンを押した状態で、上方にドラッグするか、“●”ボタンで“あ”（“ア”）ボタンにドラッグした後、上方にドラッグし、
小さい字“ぅ”（“ゥ”）の入力は、“●”ボタンをタッチした後、“あ”（“ア”）ボタンを押した状態で、右方にドラッグするか、“●”ボタンで“あ”（“ア”）ボタンにドラッグした後、右方にドラッグし、
小さい字“ぇ”（“ェ”）の入力は、“●”ボタンをタッチした後、“あ”（“ア”）ボタンを押した状態で、下方にドラッグするか、“●”ボタンで“あ”（“ア”）ボタンにドラッグした後、下方にドラッグし、
小さい字“ぉ”（“ォ”）の入力は、“●”ボタンをタッチした後、“あ”（“ア”）ボタンを押した状態で、左方にドラッグするか、“●”ボタンで“あ”（“ア”）ボタンにドラッグした後、左方にドラッグし、
“か”（“カ”）の入力は、“か”（“カ”）ボタンを一度タッチし、
“き”（“キ”）の入力は、“か”（“カ”）ボタンを押した状態で、上方にドラッグし、
“く”（“ク”）の入力は、“か”（“カ”）ボタンを押した状態で、右方にドラッグし、
“け”（“ケ”）の入力は、“か”（“カ”）ボタンを押した状態で、下方にドラッグし、
“こ”（“コ”）の入力は、“か”（“カ”）ボタンを押した状態で、左方にドラッグし、
“が”（“ガ”）の入力は、“●”ボタンをタッチした後、“か”（“カ”）ボタンをタッチするか、“●”ボタンで“か”（“カ”）ボタンにドラッグし、
“ぎ”（“ギ”）の入力は、“●”ボタンをタッチした後、“か”（“カ”）ボタンを押した状態で、上方にドラッグするか、“●”ボタンで“か”（“カ”）ボタンにドラッグした後、上方にドラッグし、
“ぐ”（“グ”）の入力は、“●”ボタンをタッチした後、“か”（“カ”）ボタンを押した状態で、右方にドラッグするか、“●”ボタンで“か”（“カ”）ボタンにドラッグした後、右方にドラッグし、
“げ”（“ゲ”）の入力は、“●”ボタンをタッチした後、“か”（“カ”）ボタンを押した状態で、下方にドラッグするか、“●”ボタンで“か”（“カ”）ボタンにドラッグした後、下方にドラッグし、
“ご”（“ゴ”）の入力は、“●”ボタンをタッチした後、“か”（“カ”）ボタンを押した状態で、左方にドラッグするか、“●”ボタンで“か”（“カ”）ボタンにドラッグした後、左方にドラッグし、
“さ”（“サ”）の入力は、“さ”（“サ”）ボタンを一度タッチし、
“し”（“シ”）の入力は、“さ”（“サ”）ボタンを押した状態で、上方にドラッグし、
“す”（“ス”）の入力は、“さ”（“サ”）ボタンを押した状態で、右方にドラッグし、
“せ”（“セ”）の入力は、“さ”（“サ”）ボタンを押した状態で、下方にドラッグし、
“そ”（“ソ”）の入力は、“さ”（“サ”）ボタンを押した状態で、左方にドラッグし、
“ざ”（“ザ”）の入力は、“●”ボタンをタッチした後、“さ”（“サ”）ボタンをタッチするか、“●”ボタンで“さ”（“サ”）ボタンにドラッグし、
“じ”（“ジ”）の入力は、“●”ボタンをタッチした後、“さ”（“サ”）ボタンを押した状態で、上方にドラッグするか、“●”ボタンで“さ”（“サ”）ボタンにドラッグした後、上方にドラッグし、
“ず”（“ズ”）の入力は、“●”ボタンをタッチした後、“さ”（“サ”）ボタンを押した状態で、右方にドラッグするか、“●”ボタンで“さ”（“サ”）ボタンにドラッグした後、右方にドラッグし、
“ぜ”（“ゼ”）の入力は、“●”ボタンをタッチした後、“さ”（“サ”）ボタンを押した状態で、下方にドラッグするか、“●”ボタンで“さ”（“サ”）ボタンにドラッグした後、ドラッグし、
“ぞ”（“ゾ”）の入力は、“●”ボタンをタッチした後、“さ”（“サ”）ボタンを押した状態で、左方にドラッグするか、“●”ボタンで“さ”（“サ”）ボタンにドラッグした後、左方にドラッグし、
“た”（“タ”）の入力は、“た”（“タ”）ボタンを一度タッチし、
“ち”（“チ”）の入力は、“た”（“タ”）ボタンを押した状態で、上方にドラッグし、
“つ”（“ツ”）の入力は、“た”（“タ”）ボタンを押した状態で、右方にドラッグし、
“て”（“テ”）の入力は、“た”（“タ”）ボタンを押した状態で、下方にドラッグし、
“と”（“ト”）の入力は、“た”（“タ”）ボタンを押した状態で、左方にドラッグし、
“だ”（“ダ”）の入力は、“●”ボタンをタッチした後、“た”（“タ”）ボタンをタッチするか、”●”ボタンで“た”（“タ”）ボタンにドラッグし、
“ぢ”（“ヂ”）の入力は、“●”ボタンをタッチした後、“た”（“タ”）ボタンを押した状態で、上方にドラッグするか、“●”ボタンで“た”（“タ”）ボタンにドラッグした後、上方にドラッグし、
“づ”（“ヅ”）の入力は、“●”ボタンをタッチした後、“た”（“タ”）ボタンを押した状態で、右方にドラッグするか、“●”ボタンで“た”（“タ”）ボタンにドラッグした後、右方にドラッグし、
“で”（“デ”）の入力は、“●”ボタンをタッチした後、“た”（“タ”）ボタンを押した状態で下方にドラッグするか、“●”ボタンで“た”（“タ”）ボタンにドラッグした後、下方にドラッグし、
“ど”（“ド”）の入力は、“●”ボタンをタッチした後、“た”（“タ”）ボタンを押した状態で、左方にドラッグするか、“●”ボタンで“た”（“タ”）ボタンにドラッグした後、左方にドラッグし、
“ら”（“ラ”）の入力は、“ら”（“ラ”）ボタンを一度タッチし、
“り”（“リ”）の入力は、“ら”（“ラ”）ボタンを押した状態で、上方にドラッグし、
“る”（“ル”）の入力は、“ら”（“ラ”）ボタンを押した状態で、右方にドラッグし、
“れ”（“レ”）の入力は、“ら”（“ラ”）ボタンを押した状態で、下方にドラッグし、
“ろ”（“ロ”）の入力は、“ら”（“ラ”）ボタンを押した状態で、左方にドラッグし、
“ま”（“マ”）の入力は、“●”ボタンをタッチした後、“ら”（“ラ”）ボタンをタッチするか、“●”ボタンで“ら”（“ラ”）ボタンにドラッグし、
“み”（“ミ”）の入力は、“●”ボタンをタッチした後、“ら”（“ラ”）ボタンを押した状態で、上方にドラッグするか、“●”ボタンで“ら”（“ラ”）ボタンにドラッグした後、上方にドラッグし、
“む”（“ム”）の入力は、“●”ボタンをタッチした後、“ら”（“ラ”）ボタンを押した状態で、右方にドラッグするか、“●”ボタンで“ら”（“ラ”）ボタンにドラッグした後、右方にドラッグし、
“め”（“メ”）の入力は、“●”ボタンをタッチした後、“ら”（“ラ”）ボタンを押した状態で、下方にドラッグするか、“●”ボタンで“ら”（“ラ”）ボタンにドラッグした後、下方にドラッグし、
“も”（“モ”）の入力は、“●”ボタンをタッチした後、“ら”（“ラ”）ボタンを押した状態で、左方にドラッグするか、“●”ボタンで“ら”（“ラ”）ボタンにドラッグした後、左方にドラッグし、
“な”（“ナ”）の入力は、“な”（“ナ”）ボタンを一度タッチし、
“に”（“ニ”）の入力は、“な”（“ナ”）ボタンを押した状態で、上方にドラッグし、
“ぬ”（“ヌ”）の入力は、“な”（“ナ”）ボタンを押した状態で、右方にドラッグし、
“ね”（“ネ”）の入力は、“な”（“ナ”）ボタンを押した状態で、下方にドラッグし、
“の”（“ノ”）の入力は、“な”（“ナ”）ボタンを押した状態で、左方にドラッグし、
“ぱ”（“パ”）の入力は、“●”ボタンをタッチした後、“な”（“ナ”）ボタンをタッチするか、“●”ボタンで“な”（“ナ”）ポトゥヌロ  ドラッグし、
“ぴ”（“ピ”）の入力は、“●”ボタンをタッチした後、“な”（“ナ”）ボタンを押した状態で、上方にドラッグするか、“●”ボタンで“な”（“ナ”）ボタンにドラッグした後、上方にドラッグし、
“ぷ”（“プ”）の入力は、“●”ボタンをタッチした後、“な”（“ナ”）ボタンを押した状態で、右方にドラッグするか、“●”ボタンで“な”（“ナ”）ボタンにドラッグした後、右方にドラッグし、
“ぺ”（“ペ”）の入力は、“●”ボタンをタッチした後、“な”（“ナ”）ボタンを押した状態で、下方にドラッグするか、“●”ボタンで“な”（“ナ”）ボタンにドラッグした後、下方にドラッグし、
“ぽ”（“ポ”）の入力は、“●”ボタンをタッチした後、“な”（“ナ”）ボタンを押した状態で、左方にドラッグするか、“●”ボタンで“な”（“ナ”）ボタンにドラッグした後、左方にドラッグし、
“は”（“ハ”）の入力は、“は”（“ハ”）ボタンを一度タッチし、
“ひ”（“ヒ”）の入力は、“は”（“ハ”）ボタンを押した状態で、上方にドラッグし、
“ふ”（“フ”）の入力は、“は”（“ハ”）ボタンを押した状態で、右方にドラッグし、
“へ”（“ヘ”）の入力は、“は”（“ハ”）ボタンを押した状態で、下方にドラッグし、
“ほ”（“ホ”）の入力は、“は”（“ハ”）ボタンを押した状態で、左方にドラッグし、
“ば”（“バ”）の入力は、“●”ボタンをタッチした後、“は”（“ハ”）ボタンをタッチするか、”●”ボタンで“は”（“ハ”）ボタンにドラッグし、
“び（“ビ”）の入力は、“●”ボタンをタッチした後、“は”（“ハ”）ボタンを押した状態で、上方にドラッグするか、“●”ボタンで“は”（“ハ”）ボタンにドラッグした後、上方にドラッグし、
“ぶ”（“ブ”）の入力は、“●”ボタンをタッチした後、“は”（“ハ”）ボタンを押した状態で、右方にドラッグするか、“●”ボタンで“は”（“ハ”）ボタンにドラッグした後、右方にドラッグし、
“べ”（“ベ”）の入力は、“●”ボタンをタッチした後、“は”（“ハ”）ボタンを押した状態で、下方にドラッグするか、“●”ボタンで“は”（“ハ”）ボタンにドラッグした後、下方にドラッグし、
“ぼ”（“ボ”）の入力は、“●”ボタンをタッチした後、“は”（“ハ”）ボタンを押した状態で、左方にドラッグするか、“●”ボタンで“は”（“ハ”）ボタンにドラッグした後、左方にドラッグし、
“や”（“ヤ”）の入力は、“や”（“ヤ”）ボタンを一度タッチし、
“ゆ”（“ユ”）の入力は、“や”（“ヤ”）ボタンを押した状態で、上方にドラッグし、
“よ”（“ヨ”）の入力は、“や”（“ヤ”）ボタンを押した状態で、右方にドラッグし、
“わ”（“ワ”）の入力は、“や”（“ヤ”）ボタンを押した状態で、下方にドラッグし、
“を”（“ヲ”）の入力は、“や”（“ヤ”）ボタンを押した状態で、左方にドラッグし、
小さい字“ゃ”（“ャ”）の入力は、“●”ボタンをタッチした後、“や”（“ヤ”）ボタンをタッチするか、“●”ボタンで“や”（“ヤ”）ボタンにドラッグし、
小さい字“ゅ”（“ュ”）の入力は、“●”ボタンをタッチした後、“や”（“ヤ”）ボタンを押した状態で、上方にドラッグするか、“●”ボタンで“や”（“ヤ”）ボタンにドラッグした後、上方にドラッグし、
小さい字“ょ”（“ョ”）の入力は、“●”ボタンをタッチした後、“や”（“ヤ”）ボタンを押した状態で、右方にドラッグするか、“●”ボタンで“や”（“ヤ”）ボタンにドラッグした後、右方にドラッグし、
小さい字“っ”（“ッ”）の入力は、“●”ボタンをタッチした後、“や”（“ヤ”）ボタンを押した状態で、ドラッグするか、“●”ボタンで“や”（“ヤ”）ボタンにドラッグした後、下方にドラッグし、
“ん”（“ン”）の入力は、“●”ボタンをタッチした後、“や”（“ヤ”）ボタンを押した状態で、左方にドラッグするか、“●”ボタンで“や”（“ヤ”）ボタンにドラッグした後、左方にドラッグして入力することを特徴とする請求項１または請求項２記載のカナ入力方法。
【発明の詳細な説明】
【技術分野】
【０００１】
本発明は、電子および通信機器で日本語の入力を容易にするだめのものであって、タッチ入力方式の機器において、９個の入力ボタンで８０個のカナ字を便利に、さらに効率的に入力するための文字配列方法および入力方法に関する。
【０００２】
更に、詳しくは、電子および通信機器におけるカナ（ひらがな、カタカナ）入力のため、文字をキーボードに配列する方法と、その文字を利用した日本語の入力方法に関するもので、文字の配列方法としては、３行３列で位置した９個の入力ボタンの中、中央に位置したボタンを記号（●）で表示し、外側の８個のボタンには、カナを配列した。  入力方法としては、外側に位置した各ボタンを単独でタッチおよびドラッグで入力する方法と、中央の記号ボタンから外側のボタンでタッチおよびドラッグで連結して入力する方法とを、区分して８０個に達するカナを入力可能にした方法に関する。
【背景技術】
【０００３】
どんどん発展していく電子および通信機器らの機能と性能は、それに適合したソフトウェアの開発もさらに要求されている。  これは使用者らの要求と便宜のため、着実に発展してきたし、今後もずっと発展して行くだろう。  高機能性を有し、軽くて、美しくて、便利で、これに合わせて合理的な価格の機器だけが市場で生き残るだろう。
【０００４】
文字入力のための方法もこれに伴って、着実に開発されて現在には多様な方法が使われており、今後も引き続き新しい方法が開発されるだろう。  
【０００５】
既存のカナ入力方法では、限定されたキーボードの上で、多数の字を入力するため、英語アルファベットを利用した入力方法および数回のタッチを必要とするなど、複雑な文字入力方法により使用者にとって多くの不便を感じさせた。
【発明の概要】
【発明が解決しようとする課題】
【０００６】
本発明は、上記のような従来技術が持っている問題点を解決するため案出されたものであって、９個のボタンで８０個のカナ字を効果的で、便利で、更に最小の動作で文字を入力することができるようにする方法を提供するにその目的がある。
【０００７】
また、本発明は、ボタンの個数を９個に減らし、その大きさを大きくして小さい入力用ボタンでしばしば発生し得る誤字問題を解決するのに更に他の目的がある。
【課題を解決するための手段】
【０００８】
上記目的を達成するための本発明は、先に限定された９個のボタンで８０個に達するカナ字を効果的に入力するため、中央に位置したボタンを機能ボタンとして活用し、外側のボタンを単独で使う時と中央の機能ボタンと外側のボタンを連結して使う時、それぞれ別の字として認識されるようにした。  もう少し詳しく説明すれば、外側の８個のボタンにそれぞれ５個の文字を割り当てて、タッチおよび上、下、左、右へのドラッグで入力し、全４０個の文字を単独で入力することができるようにした。  また、中央に位置したボタンから外側のボタンで、タッチおよびドラッグで連結してまた他の４０個の文字を入力可能にした。  
【発明の効果】
【０００９】
本発明によれば、中央の機能ボタンを使うことによって、９個のボタンを１６個のボタンがあるように使用することができ、これは多くの個数の文字を効率的に配列して活用することになって、必要以上のタッチを減らす効果があり、あわせてボタンの大きさを拡大して小さいボタンを押す時、しばしば発生する誤字を減らす効果がある。  これは使用者にとってストレスを減らして社会的活動にも助けをあたえる効果がある。  
【図面の簡単な説明】
【００１０】
【図１】本発明によるひらがなキーボード配列図。
【図２】本発明によるカタカナキーボード配列図。
【図３】文字ボタンだけを使ってカナを入力する方法に関する実施例１の配列図。
【図４】中央の記号ボタンと文字ボタンを共に使ってカナを入力する方法に関する実施例２の配列図。
【発明を実施するための形態】
【００１１】
以下、本発明の望ましい実施例を示した添付の図面を参照して本発明を更に詳細に説明する。  しかし添付した実施例は、本発明の理解を助けるための一実施例であるので、本発明を限定することではなく、また当該分野で通常の知識を有した者に自明な技術か、容易に導き出される程度の技術に対してはそれに関する詳細な説明を省略することにする。
【００１２】
図１は、本発明によるひらがなのキーボード配列である。
図２は、本発明によるカタカナのキーボード配列である。
【００１３】
図１と図２に示すように、本発明は、カナ入力のため、３行３列で配置された９個の入力ボタンの中、中央のボタンを記号（●）で表示して機能ボタンとして使用し、外側の８個のボタンにカナ文字を配列したことを特徴とし、例えば、図１のように、第１列の左から記号“あ”，“か”，“さ”を配置し、第２列の左から記号“た”，“●”，“ら”を配置し、第３列の左から記号“な”，“は”，“や”を配列することができる。
【００１４】
図３は、本発明により、外側の８個のボタンで、単独でカナ字を入力する方法に関する模様をなす配列図である。
【００１５】
図４は、本発明により、中央の記号ボタンと外側の文字ボタンが一緒に使われてカナ字を入力する方法に関する模様をなす配列図である。
【００１６】
上記９個の記号および文字ボタンを利用して８０個のカナ字を入力できるが、その方式は次のようである。
【００１７】
“あ”（“ア”）の入力は、“あ”（“ア”）ボタンを一度タッチし、
“い”（“イ”）の入力は、“あ”（“ア”）ボタンを押した状態で、上方にドラッグし、
“う”（“ウ”）の入力は、“あ”（“ア”）ボタンを押した状態で、右方にドラッグし、
“え”（“エ”）の入力は、“あ”（“ア”）ボタンを押した状態で、下方にドラッグし、
“お”（“オ”）の入力は、“あ”（“ア”）ボタンを押した状態で、左方にドラッグし、
小さい字“ぁ”（“ァ”）の入力は、“●”ボタンをタッチした後、“あ”（“ア”）ボタンをタッチするか、“●”ボタンで“あ”（“ア”）ボタンにドラッグし、
小さい字“ぃ”（“ィ”）の入力は、“●”ボタンをタッチした後、“あ”（“ア”）ボタンを押した状態で、上方にドラッグするか、“●”ボタンで“あ”（“ア”）ボタンにドラッグした後上方にドラッグし、
小さい字“ぅ”（“ゥ”）の入力は、“●”ボタンをタッチした後、“あ”（“ア”）ボタンを押した状態で、右方にドラッグするか、“●”ボタンで“あ”（“ア”）ボタンにドラッグした後右方にドラッグし、
小さい字“ぇ”（“ェ”）の入力は、“●”ボタンをタッチした後、“あ”（“ア”）ボタンを押した状態で、下方にドラッグするか、“●”ボタンで“あ”（“ア”）ボタンにドラッグした後下方にドラッグし、
小さい字“ぉ”（“ォ”）の入力は、“●”ボタンをタッチした後、“あ”（“ア”）ボタンを押した状態で、左方にドラッグするか、“●”ボタンで“あ”（“ア”）ボタンにドラッグした後左方にドラッグし、
“か”（“カ”）の入力は、“か”（“カ”）ボタンを一度タッチし、
“き”（“キ”）の入力は、“か”（“カ”）を押した状態で、上方にドラッグし、
“く”（“ク”）の入力は、“か”（“カ”）ボタンを押した状態で、右方にドラッグし、
“け”（“ケ”）の入力は、“か”（“カ”）ボタンを押した状態で、下方にドラッグし、
“こ”（“コ”）の入力は、“か”（“カ”）ボタンを押した状態で、左方にドラッグし、
“が”（“ガ”）の入力は、“●”ボタンをタッチした後、“か”（“カ”）ボタンをタッチするか、“●”ボタンで“か”（“カ”）ボタンにドラッグし、
“ぎ”（“ギ”）の入力は、“●”ボタンをタッチした後、“か”（“カ”）ボタンを押した状態で、上方にドラッグするか、“●”ボタンで“か”（“カ”）ボタンにドラッグした後上方にドラッグし、
“ぐ”（“グ”）の入力は、“●”ボタンをタッチした後、“か”（“カ”）ボタンを押した状態で、右方にドラッグするか、“●”ボタンで“か”（“カ”）ボタンにドラッグした後、右方にドラッグし、
“げ”（“ゲ”）の入力は、“●”ボタンをタッチした後、“か”（“カ”）ボタンを押した状態で、下方にドラッグするか、“●”ボタンで“か”（“カ”）ボタンにドラッグした後、下方にドラッグし、
“ご”（“ゴ”）の入力は、“●”ボタンをタッチした後、“か”（“カ”）ボタンを押した状態で、左方にドラッグするか、“●”ボタンで“か”（“カ”）ボタンにドラッグした後、左方にドラッグし、
“さ”（“サ”）の入力は、“さ”（“サ”）ボタンを一度タッチし、
“し”（“シ”）の入力は、“さ”（“サ”）ボタンを押した状態で、上方にドラッグし、
“す”（“ス”）の入力は、“さ”（“サ”）ボタンを押した状態で、右方にドラッグし、
“せ”（“セ”）の入力は、“さ”（“サ”）ボタンを押した状態で、下方にドラッグし、
“そ”（“ソ”）の入力は、“さ”（“サ”）ボタンを押した状態で、左方にドラッグし、
“ざ”（“ザ”）の入力は、“●”ボタンをタッチした後、“さ”（“サ”）をタッチするか、“●”ボタンで“さ”（“サ”）ボタンにドラッグし、
“じ”（“ジ”）の入力は、“●”ボタンをタッチした後、“さ”（“サ”）ボタンを押した状態で、上方にドラッグするか、“●”ボタンで“さ”（“サ”）ボタンにドラッグした後、上方にドラッグし、
“ず”（“ズ”）の入力は、“●”ボタンをタッチした後、“さ”（“サ”）ボタンを押した状態で、右方にドラッグするか、“●”ボタンで“さ”（“サ”）ボタンにドラッグした後、右方にドラッグし、
“ぜ”（“ゼ”）の入力は、“●”ボタンをタッチした後、“さ”（“サ”）ボタンを押した状態で、下方にドラッグするか、“●”ボタンで“さ”（“サ”）ボタンにドラッグした後、下方にドラッグし、
“ぞ”（“ゾ”）の入力は、“●”ボタンをタッチした後、“さ”（“サ”）ボタンを押した状態で、左方にドラッグするか、“●”ボタンで“さ”（“サ”）ボタンにドラッグした後、左方にドラッグし、
“た”（“タ”）の入力は、“た”（“タ”）ボタンを一度タッチし、
“ち”（“チ”）の入力は、“た”（“タ”）ボタンを押した状態で、上方にドラッグし、
“つ”（“ツ”）の入力は、“た”（“タ”）ボタンを押した状態で、右方にドラッグし、
“て”（“テ”）の入力は、“た”（“タ”）ボタンを押した状態で、下方にドラッグし、
“と”（“ト”）の入力は、“た”（“タ”）ボタンを押した状態で、左方にドラッグし、
“だ”（“ダ”）の入力は、“●”ボタンをタッチした後、“た”（“タ”）ボタンをタッチするか、“●”ボタンで“た”（“タ”）ボタンにドラッグし、
“ぢ”（“ヂ”）の入力は、“●”ボタンをタッチした後、“た”（“タ”）ボタンを押した状態で、上方にドラッグするか、“●”ボタンで“た”（“タ”）ボタンにドラッグした後、上方にドラッグし、
“づ”（“ヅ”）の入力は、“●”ボタンをタッチした後、“た”（“タ”）ボタンを押した状態で、右方にドラッグするか、“●”ボタンで“た”（“タ”）ボタンにドラッグした後、右方にドラッグし、
“で”（“デ”）の入力は、“●”ボタンをタッチした後、“た”（“タ”）ボタンを押した状態で、下方にドラッグするか、“●”ボタンで“た”（“タ”）ボタンにドラッグした後、下方にドラッグし、
“ど”（“ド”）の入力は、“●”ボタンをタッチした後、“た”（“タ”）ボタンを押した状態で、左方にドラッグするか、“●”ボタンで“た”（“タ”）ボタンにドラッグした後、左方にドラッグし、
“ら”（“ラ”）の入力は、“ら”（“ラ”）ボタンを一度タッチし、
“り”（“リ”）の入力は、“ら”（“ラ”）ボタンを押した状態で、上方にドラッグし、
“る”（“ル”）の入力は、“ら”（“ラ”）ボタンを押した状態で、右方にドラッグし、
“れ”（“レ”）の入力は、“ら”（“ラ”）ボタンを押した状態で、下方にドラッグし、
“ろ”（“ロ”）の入力は、“ら”（“ラ”）ボタンを押した状態で、左方にドラッグし、
“ま”（“マ”）の入力は、“●”ボタンをタッチした後、“ら”（“ラ”）ボタンをタッチするか、“●”ボタンで“ら”（“ラ”）ボタンにドラッグし、
“み”（“ミ”）の入力は、“●”ボタンをタッチした後、“ら”（“ラ”）ボタンを押した状態で、上方にドラッグするか、“●”ボタンで“ら”（“ラ”）ボタンにドラッグした後、上方にドラッグし、
“む”（“ム”）の入力は、“●”ボタンをタッチした後、“ら”（“ラ”）ボタンを押した状態で、右方にドラッグするか、“●”ボタンで“ら”（“ラ”）ボタンにドラッグした後、右方にドラッグし、
“め”（“メ”）の入力は、“●”ボタンをタッチした後、“ら”（“ラ”）ボタンを押した状態で、下方にドラッグするか、“●”ボタンで“ら”（“ラ”）ボタンにドラッグした後、下方にドラッグし、
“も”（“モ”）の入力は、“●”ボタンをタッチした後、“ら”（“ラ”）ボタンを押した状態で、左方にドラッグするか、“●”ボタンで“ら”（“ラ”）ボタンにドラッグした後、左方にドラッグし、
“な”（“ナ”）の入力は、“な”（“ナ”）ボタンを一度タッチし、
“に”（“ニ”）の入力は、“な”（“ナ”）ボタンを押した状態で、上方にドラッグし、
“ぬ”（“ヌ”）の入力は、“な”（“ナ”）ボタンを押した状態で、右方にドラッグし、
“ね”（“ネ”）の入力は、“な”（“ナ”）ボタンを押した状態で、下方にドラッグし、
“の”（“ノ”）の入力は、“な”（“ナ”）ボタンを押した状態で、左方にドラッグし、
“ぱ”（“パ”）の入力は、“●”ボタンをタッチした後、“な”（“ナ”）ボタンをタッチするか、“●”ボタンで“な”（“ナ”）ボタンにドラッグし、
“ぴ”（“ピ”）の入力は、“●”ボタンをタッチした後、“な”（“ナ”）ボタンを押した状態で、上方にドラッグするか、“●”ボタンで“な”（“ナ”）ボタンにドラッグした後、上方にドラッグし、
“ぷ”（“プ”）の入力は、“●”ボタンをタッチした後、“な”（“ナ”）ボタンを押した状態で、右方にドラッグするか、“●”ボタンで“な”（“ナ”）ボタンにドラッグした後、右方にドラッグし、
“ぺ”（“ペ”）の入力は、“●”ボタンをタッチした後、“な”（“ナ”）ボタンを押した状態で、下方にドラッグするか、“●”ボタンで“な”（“ナ”）ボタンにドラッグした後、下方にドラッグし、
“ぽ”（“ポ”）の入力は、“●”ボタンをタッチした後、“な”（“ナ”）ボタンを押した状態で左方にドラッグするか、“●”ボタンで“な”（“ナ”）ボタンにドラッグした後、左方にドラッグし、
“は”（“ハ”）の入力は、“は”（“ハ”）ボタンを一度タッチし、
“ひ”（“ヒ”）の入力は、“は”（“ハ”）ボタンを押した状態で、上方にドラッグし、
“ふ”（“フ”）の入力は、“は”（“ハ”）ボタンを押した状態で、右方にドラッグし、
“へ”（“ヘ”）の入力は、“は”（“ハ”）ボタンを押した状態で、下方にドラッグし、
“ほ”（“ホ”）の入力は、“は”（“ハ”）ボタンを押した状態で、左方にドラッグし、
“ば”（“バ”）の入力は、“●”ボタンをタッチした後、“は”（“ハ”）ボタンをタッチするか、“●”ボタンで“は”（“ハ”）ボタンにドラッグし、
“び”（“ビ”）の入力は、“●”ボタンをタッチした後、“は”（“ハ”）ボタンを押した状態で、上方にドラッグするか、“●”ボタンで“は”（“ハ”）ボタンにドラッグした後、上方にドラッグし、
“ぶ”（“ブ”）の入力は、“●”ボタンをタッチした後、“は”（“ハ”）ボタンを押した状態で、右方にドラッグするか、“●”ボタンで“は”（“ハ”）ボタンにドラッグした後、右方にドラッグし、
“べ”（“ベ”）の入力は、“●”ボタンをタッチした後、“は”（“ハ”）ボタンを押した状態で、下方にドラッグするか、“●”ボタンで“は”（“ハ”）ボタンにドラッグした後、下方にドラッグし、
“ぼ”（“ボ”）の入力は、“●”ボタンをタッチした後、“は”（“ハ”）ボタンを押した状態で、左方にドラッグするか、“●”ボタンで“は”（“ハ”）ボタンにドラッグした後、左方にドラッグし、
“や”（“ヤ”）の入力は、“や”（“ヤ”）ボタンを一度タッチし、
“ゆ”（“ユ”）の入力は、“や”（“ヤ”）ボタンを押した状態で、上方にドラッグし、
“よ”（“ヨ”）の入力は、“や”（“ヤ”）ボタンを押した状態で、右方にドラッグし、
“わ”（“ワ”）の入力は、“や”（“ヤ”）ボタンを押した状態で、下方にドラッグし、
“を”（“ヲ”）の入力は、“や”（“ヤ”）ボタンを押した状態で、左方にドラッグし、
小さい字“ゃ”（“ャ”）の入力は、“●”ボタンをタッチした後、“や”（“ヤ”）ボタンをタッチするか、“●”ボタンで“や”（“ヤ”）ボタンにドラッグし、
小さい字“ゅ”（“ュ”）の入力は、“●”ボタンをタッチした後、“や”（“ヤ”）ボタンを押した状態で、上方にドラッグするか、“●”ボタンで“や”（“ヤ”）ボタンにドラッグした後、上方にドラッグし、
小さい字“ょ”（“ョ”）の入力は、“●”ボタンをタッチした後、“や”（“ヤ”）ボタンを押した状態で、右方にドラッグするか、“●”ボタンで“や”（“ヤ”）ボタンにドラッグした後、右方にドラッグし、
小さい字“っ”（“ッ”）の入力は、“●”ボタンをタッチした後、“や”（“ヤ”）ボタンを押した状態で、下方にドラッグするか、“●”ボタン“や”（“ヤ”）ボタンにドラッグした後、下方にドラッグし、
“ん”（“ン”）の入力は、“●”ボタンをタッチした後、“や”（“ヤ”）ボタンを押した状態で、左方にドラッグするか、“●”ボタンで“や”（“ヤ”）ボタンにドラッグした後、左方にドラッグして入力する。
以上の説明は、たとえ本発明が上記で言及した望ましい実施例と関連して説明したが、本発明の要旨と範囲から逸脱することなく、他の多様な修正および変形が可能だということは当業者ならば容易に認識でき、このような変更および修正は全部添付された特許請求範囲に属するということは自明である。
【図１】
2012150807.tif 000003
【図２】
2012150807.tif 000004
【図３】
2012150807.tif 000005
【図４】
2012150807.tif 000006